【事件の表示】
　特許第３２１４３１２号「畦塗り機用前処理装置」の請求項１ないし３に係る特許に対する特許異議の申立てについて、次のとおり決定する。
【結　論】
　訂正を認める。
　特許第３２１４３１２号の請求項１ないし３に係る特許を維持する。
【理　由】
１．手続の経緯
　本件特許第３２１４３１２号の請求項１ないし３に係る発明についての出願は、平成７年９月２１日に特許出願され、平成１３年７月２７日にその発明について特許権の設定登録がなされ、その後、本件請求項１ないし３に係る発明の特許に対し、平成１４年２月５日に相馬敏光より特許異議の申立てがなされ、取消の理由を通知したところ、その指定期間内である平成１４年９月５日に訂正請求がなされたものである。
　
２．訂正の適否についての判断
２−１．訂正の内容
（１） 訂正事項ａ
　特許明細書の特許請求の範囲の【請求項１】（本件特許公報１頁１欄７〜８行）に記載された「上面が元畦（５）側に傾斜した階段状に掘削する掘削刃（４）を装着した」を、
　「上面が元畦（５）側に傾斜した階段状に掘削する
複数の
　
（２）訂正事項ｂ
　特許明細書の特許請求の範囲の【請求項２】（本件特許公報１頁１欄１１〜１２行）に記載された「この縦刃部（４ａ）に対する横刃部（４ｂ）の屈曲角度を直角より浅くした」を、
　「この縦刃部（４ａ）に対する横刃部（４ｂ）の屈曲角度を直角より浅くし且つ回転半径を異ならせた」と訂正する。
　
（３） 訂正事項ｃ
　特許明細書の特許請求の範囲の【請求項３】（本件特許公報１頁２欄１行）に記載された「請求項１記載の畦塗り機用前処理装置」を、
　「請求項２記載の畦塗り機用前処理装置」と訂正する。
　
（４） 訂正事項ｄ
　特許明細書の段落【０００５】の（本件特許公報２頁３欄２１〜２２行）に記載された「上面が元畦側に傾斜した階段状に掘削する掘削刃を装着した」を、
　「上面が元畦側に傾斜した階段状に掘削する複数の掘削刃を装着した」と訂正する。
　
（５）訂正事項ｅ
　特許明細書の段落【０００６】の（本件特許公報２頁３欄２５〜２６行）に記載された「この縦刃部に対する横刃部の屈曲角度を直角より浅くした」を、
　「この縦刃部に対する横刃部の屈曲角度を直角より浅くし且つ回転半径を異ならせた」と訂正する。
　
（６）訂正事項ｆ
　特許明細書の段落【０００７】の（本件特許公報２頁３欄２７〜２８行）に記載された「請求項３に係る発明として、請求項１に係る発明を前提として、」を、
　「請求項３に係る発明として、請求項２に係る発明を前提として、」と訂正する。
　
２−２．訂正の目的の適否、新規事項の有無及び拡張・変更の存否
　上記訂正事項ａは、請求項１について、
　同請求項に係る発明を特定する事項である「上面が元畦（５）側に傾斜した階段状に掘削する掘削刃（４）を装着した」を、これに含まれる事項である「上面が元畦（５）側に傾斜した階段状に掘削する複数の掘削刃（４）を装着した」に変更するものであるから、特許請求の範囲の減縮を目的とした明細書の訂正に該当する。
　
　上記訂正事項ｂは、請求項２について、
　同請求項に係る発明を特定する事項である「この縦刃部（４ａ）に対する横刃部（４ｂ）の屈曲角度を直角より浅くした」を、これに含まれる事項である「この縦刃部（４ａ）に対する横刃部（４ｂ）の屈曲角度を直角より浅くし且つ回転半径を異ならせた」に変更するものであるから、特許請求の範囲の減縮を目的とした明細書の訂正に該当する。
　
　上記訂正事項ｃは、特許明細書の請求項３における引用請求項を請求項１からそれを更に限定した請求項２に変更するものであるから、特許請求の範囲の減縮を目的とした明細書の訂正に該当する。
　上記訂正事項ｄないしｆは、上記訂正事項ａないしｃと整合を図るものであるから、明りょうでない記載の釈明を目的とした明細書の訂正に該当する。
　
２−３．むすび
　以上のとおりであるから、上記訂正は、特許法１２０条の４第２項及び同条第３項において準用する特許法第１２６条第２項から第４項までの規定に適合するので、当該訂正を認める。
　
３．特許異議の申立てについての判断
３−１．申立ての理由の概要
　特許異議申立人は、下記の証拠を提示し、本件発明の特許は次の理由により取り消されるべきである旨を主張している。
（１）本件請求項１ないし３に係る発明は、甲第１ないし５号証に記載された発明に基づいて当業者が容易に発明をすることができたものであるから、特許法第２９条第２項の規定により特許を受けることができない。
　　　　　　　　　　　　　記
　甲第１号証：特開平１−２９６９０３号公報
　甲第２号証：実公平６−２１２８４号公報
　甲第３号証：実願昭５２−１６２７１９号（実開昭５４−８８３１４号）のマイクロフィルム
　甲第４号証：実公平７−２６８８１号公報
　甲第５号証：実願平１−３８９７号（実開平２−９６８０６号）のマイクロフィルム
　
３−２．本件発明
　上記２．で示したように上記訂正が認められるから、本件特許第３２１４３１２号の請求項１ないし３に係る発明（以下、「本件発明１ないし３」という。）は、平成１４年９月５日に提出された訂正請求書の特許請求の範囲の請求項１ないし３に記載された次のとおりのものである。
「【請求項１】　畦塗り部の前側に装着され、元畦（５）の田面（７）側を掘削する前処理装置（１）を備える畦塗り機において、
　上記前処理装置（１）は、元畦（５）と交差する方向に設けられた回転軸（２，２ａ）に、
　元畦（５）側が浅く、田面（７）側が深くなり、上面が元畦（５）側に傾斜した階段状に掘削する複数の掘削刃（４）を装着したことを特徴とする畦塗り機用前処理装置。
【請求項２】　上記掘削刃（４）は、縦刃部（４ａ）と横刃部（４ｂ）からなり、
　この縦刃部（４ａ）に対する横刃部（４ｂ）の屈曲角度を直角より浅くし且つ回転半径を異ならせたことを特徴とする請求項１記載の畦塗り機用前処理装置。
【請求項３】　上記回転軸（２ａ）及び掘削刃（４）を、元畦（５）側に向け下降するように斜設したことを特徴とする請求項２記載の畦塗り機用前処理装置。」
　
３−３．特許法第２９条第２項について
３−３−１．甲号証に記載された発明
（１）上記甲第１号証には、次の事項が記載されている。
(1-a). 「第４図の第４実施例は回転ロータ５の別例構造を示し、この場合側部ロータ５ａ及び上部ロータ５ｂともに畦４に交差する方向に傾き角度調節自在に横架して構成されている。
　第５図の第３実施例も回転ロータ５の別例構造を示し、この場合第２実施例と同様に側部ロータ５ａ及び上部ロータ５ｂともに畦４に交差する方向に傾き角度調節自在に横架し、上部ロータ５ｂを特に畦角部を耕起する小径ロータにしているものである。」（２頁右下欄１１〜２０行）
　
（２）上記甲第２号証には、次の事項が記載されている。
(2-a).「【請求項１】機枠に泥土を堀り起こして旧畦に盛り上げるロータと、該ロータにより盛り上げられた泥土を固める畦固め体を有する整畦機において、上記ロータは旧畦の基端部を除く畦側の田圃の泥土を堀り起こし旧畦に盛り上げる田圃土用ロータと、旧畦の基端部を除く先端部の泥土を堀り起こし旧畦に盛り上げる畦用ロータとを有し、該畦用ロータが泥土を堀り起こす畦側の先端は該田圃土用ロータが泥土を堀り起こす畦側の先端より畦側に突出していることを特徴とする整畦機。」（実用新案登録請求の範囲）
(2-b).「上記整畦機Ａは、・・・上記動力取出軸ｇに対して垂直方向下方に２０度傾斜した伝動軸３が連結され、この伝動軸に田圃土用ロータ４が取り付けられ、」（２頁４欄１４〜２０行）
(2-c).「上記田圃土用ロータ４には整畦時に田圃の土を堀り起こして順次先端に送り出せるように、その先端包絡面が截頭円錐状を形成するように回転羽根４ａ、４ａ・・が螺旋状に取り付けられている。この田圃土用ロータ４の先端の上方前寄りに位置して畦用ロータ５が設けられている。この畦用ロータは固定軸５ａが上記田圃土用ロータ４の基端側の機枠に設けられた土当て板に突設され、この軸に回転自在の筒体５ｂが嵌合され、この筒体に整畦時に畦の基端部を除く側面部の上部と畦の上面部の手前側一部を堀り起こすことができるように回転羽根５ｃ、５ｃ・・・が設けられたもので、上記筒体５ｂがベルト、チェーンの如き伝動体６により上記田圃土用ロータ４と連結されて動力を伝達され、上記回転羽根が回転できるようになっている。」（２頁４欄２８〜４１行）
(2-d).「まず第１図に示すように・・・この状態でトラクタＴを畦に平行に進行させると、第３図（イ）に示すように田圃土用ロータ４の回転羽根４ａは田圃の表層土を堀り起こし、畦用ロータ５の回転羽根５ａは畦の側面上部及び上面の手前側を堀り起こす。そしてこれらの堀り起こされた土は先端側に送り出されて畦に盛られ、あるいはその位置で後方に盛り上げられる。このようにして盛られた土は反復振動する畦叩き板１２により叩き固められて、第３図（ロ）に示すように新たな畦ができあがる。この際、第３図（イ）、（ロ）に示すように旧畦の田圃の地盤と接する基端部はそのまま残されて土が盛られるので、盛られた土が叩かれるときもその衝撃に畦は耐えることができるのみならず、できあがった畦の上を人が歩いても損傷する等の事故を少なくできる。」（３頁５欄２６行〜６欄１０行）
　
（３）上記甲第３号証には、次の事項が記載されている。
(3-a).「走行機によって牽引駆動するロータリ装置で畦切りを行なう畦切り機において、畦側面を階段状に切削する複数の畦切爪を取り付けてなる畦切りロータを設け、この畦切りロータを前記ロータリ装置の駆動軸に連動させたことを特徴とする畦切り機。」（実用新案登録請求の範囲）
(3-b).「この畦切りロータ（３７）は同図からも明らかな如く、前記出力軸（２５）の下方に延設垂下したロータ軸（３８）の周側に固定座（３９）…を複数直角状に配設し、この固定座（３９）…に締付ボルト（４０）…を用いてＬ形状の畦切り刃（４１ａ）（４１ｂ）（４１ｃ）（４１ｄ）（４１ｅ）（つまり畦切り用切断刃）を着脱自在に取り付けたもので、前記畦切刃（４１ａ）〜（４１ｅ）は上方から下方位置の取付け順位にしたがってその長さを順次短く形成して、畦側面（Ｇａ）を階段状に形成し得る如く構成している。
　本考案は上記の如く構成するものにして、以下作用を説明する。
　水田において畦（Ｇ）に畦塗りを行なう前に、畦（Ｇ）に草や孔があると、良好な畦塗りを行なうことができないので、斯る畦塗り作業を行なう前に畦面の削り作業を行なうもので、・・・畦切りロータ（３７）が回転駆動して、その畦切り爪（４１ａ）〜（４１ｅ）で畦（Ｇ）の側面上の泥草或いは泥土を削り落すもので、機体の確実な圃場走行力により連続して畦（Ｇ）の側面を削ることができるものである。
　しかもこのような畦切り作業時においては畦側面（Ｇａ）を階段状に削りとるため、畦土の安定が良く、そのうえ後作業としての畦塗りが容易となるものである。」（４頁１４行〜５頁１９行）
(3-c).「以上、実施例に詳述した如く、本考案は走行機（１）によって牽引駆動するロータリ装置（９）で畦切りを行なう畦切り機において、畦側面（Ｇａ）を階段状に切削する複数の畦切爪（４１ａ）〜（４１ｅ）を取り付けてなる畦切りロータ（３７）を設け、この畦切りロータ（３７）を前記ロータリ装置（９）の駆動軸（２４）に連動させたものであるから、畦切り後における畦土の安定が良く、しかも畦塗りの容易に行なえる畦が得られる畦切り機を提供することができる。」（７頁１２〜２０行）
　
（４）上記甲第４号証には、次の事項が記載されている。
(4-a).「トラクターｃで本機を牽引するタイプを採用した実施例について説明すると、畦２に添って本機を走行させると前処理削土機構ｄの進行方向と直交する面で回転する畦削取刃13によって畦２の上部と畦２の角部を凹状に削り取り、土起こし機構ｂによって畦側面若しくは畦基部の田んぼ３の土を掘り起こし、この掘土を凹状に削土して新しい露出凹面を形成した畦２の表面に盛土し、この盛土上に整畦機構ａの振動整畦板５を保持機構６により弾圧状態で強く押し付け乍らバイブレーションを与えて新しい畦面に新しい盛土を緻密に押し締め固め、所定形状の畦２に整畦し、この整畦作業をトラクターｃの走行により連続的に行うものである。」（２頁３欄２５〜３６行）
(4-b).「前処理削土機構ｄは、機体Ａの前側畦側に２本の回転軸12を前後方向に併設し、この回転軸12に畦削取刃13を突設して畦２上部と畦角部とを凹状に削土するように構成した場合を図示し、この回転軸12の動力は前記土起こし機構ｂの動力伝達機構11より分取する場合を図示している。」（２頁４欄１０〜１５行）
　
（５）上記甲第５号証には、次の事項が記載されている。
(5-a).「機枠に泥土を掘り起こして畦に盛り上げるロータと、このロータにより盛り上げられた泥土を整える整畦板を有する整畦機において、上記ロータを畦に対して交叉する方向に設け、このロータの回転刃を側面から見て水平面の土に対する角度がほぼ直角になるように取付けたことを特徴とする整畦機。」（実用新案登録請求の範囲）
(5-a).「上記ロータ２は、第３図に示すように胴部２ａに回転刃２ｂ、２ｂ・・がその軸を胴部の軸に対して直角方向より先端側に傾斜し、土に対して直角に侵入可能に設けられている。」（５頁１〜４行）
　
３−３−２．対比・判断
（１）本件発明１について
　本件発明１と上記３−３−１．に摘記した事項から把握される甲第１ないし５号証に記載された発明を比較すると、
　甲第１ないし５号証に記載された発明は、少なくとも本件発明１を特定する事項である「上面が元畦（５）側に傾斜した階段状に掘削する複数の掘削刃（４）を装着した」構成をまったく備えていない。そして、上記構成が自明であるとも、本件特許が出願された時点で周知であるということもできない。
　したがって、本件発明１は甲第１ないし５号証に記載された発明から容易に発明をすることができたものとすることはできない。
　
（２）本件発明２について
　本件特許の請求項２は、同請求項１を引用しているところ、上記３−３−２．（１）において検討したとおり、本件発明１を、甲第１ないし５号証に記載された発明から容易に発明をすることができたものとすることができない以上、本件発明２は本件発明１の下位概念の発明であるから、本件発明２も本件発明１と同様に、甲第１ないし５号証に記載された発明から容易に発明をすることができたものとすることはできない。
　
（３）本件発明３について
　本件特許の請求項３は、同請求項２を引用しているところ、上記３−３−２．（２）において検討したとおり、本件発明２を、甲第１ないし５号証に記載された発明から容易に発明をすることができたものとすることができない以上、本件発明３は本件発明２の下位概念の発明であるから、本件発明３も本件発明２と同様に、甲第１ないし５号証の３に記載された発明から容易に発明をすることができたものとすることはできない。
　
３−４．むすび
　以上のとおりであるから、異議申立の理由及び証拠によっては本件発明１ないし３についての特許を取り消すことができない。
　また、他に本件発明１ないし３についての特許を取り消すべき理由を発見しない。
　したがって、本件発明１ないし３についての特許は拒絶の査定をしなければならない特許出願に対してされたものと認められない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１２月１０日（２００２．１２．１０）
【訂正の要旨】
訂正の要旨
（１）　訂正事項ａ
　特許明細書の特許請求の範囲の【請求項１】（本件特許公報１頁１欄７〜８行）に記載された「上面が元畦（５）側に傾斜した階段状に掘削する掘削刃（４）を装着した」を、
　「上面が元畦（５）側に傾斜した階段状に掘削する
複数の
（２）訂正事項ｂ
　特許明細書の特許請求の範囲の【請求項２】（本件特許公報１頁１欄１１〜１２行）に記載された「この縦刃部（４ａ）に対する横刃部（４ｂ）の屈曲角度を直角より浅くした」を、
　「この縦刃部（４ａ）に対する横刃部（４ｂ）の屈曲角度を直角より浅くし
且つ回転半径を異ならせた
（３）　訂正事項ｃ
　特許明細書の特許請求の範囲の【請求項３】（本件特許公報１頁２欄１行）に記載された「請求項１記載の畦塗り機用前処理装置」を、
　「請求項
２
（４）　訂正事項ｄ
　特許明細書の段落【０００５】の（本件特許公報２頁３欄２１〜２２行）に記載された「上面が元畦側に傾斜した階段状に掘削する掘削刃を装着した」を、
　「上面が元畦側に傾斜した階段状に掘削する
複数の
（５）訂正事項ｅ
　特許明細書の段落【０００６】の（本件特許公報２頁３欄２５〜２６行）に記載された「この縦刃部に対する横刃部の屈曲角度を直角より浅くした」を、
　「この縦刃部に対する横刃部の屈曲角度を直角より浅くし
且つ回転半径を異ならせた
（６）訂正事項ｆ
　特許明細書の段落【０００７】の（本件特許公報２頁３欄２７〜２８行）に記載された「請求項３に係る発明として、請求項１に係る発明を前提として、」を、
　「請求項３に係る発明として、請求項
２
（５４）【発明の名称】
畦塗り機用前処理装置
（５７）【特許請求の範囲】
　【請求項１】　畦塗り部の前側に装着され、元畦（５）の田面（７）側を掘削する前処理装置（１）を備える畦塗り機において、上記前処理装置（１）は、元畦（５）と交差する方向に設けられた回転軸（２，２ａ）に、元畦（５）側が浅く、田面（７）側が深くなり、上面が元畦（５）側に傾斜した階段状に掘削する
複数の
　【請求項２】　上記掘削刃（４）は、縦刃部（４ａ）と横刃部（４ｂ）からなり、この縦刃部（４ａ）に対する横刃部（４ｂ）の屈曲角度を直角より浅くし
且つ回転半径を異ならせた
　【請求項３】　上記回転軸（２ａ）及び掘削刃（４）を、元畦（５）側に向け下降するように斜設したことを特徴とする請求項
２
【発明の詳細な説明】
　【０００１】
　【発明の属する技術分野】
　本発明は、畦塗り機の畦塗り部の前側に装着され、元畦から田面側にかけて元畦側が浅く、田面側が深くなるように階段状に掘削する前処理装置に関する。
　【０００２】
　【従来の技術】
　従来、畦塗り部の前側に装着され、元畦の田面側を掘削する前処理装置を備える畦塗り機が、例えば、特開昭６０−２３４５０１号公報、実公平５−５８４２号公報、実公平３−４７４４１号公報等により周知である。
　【０００３】
　そして、上記各先行技術の前処理装置は、元畦の田面側を平面的に掘削するものであり、この平面的に掘削された元畦に対して、前処理装置により掘削された土壌を、畦塗り部により元畦側に塗り付け、あるいは表面を叩き付けるものであった。
　【０００４】
　【発明が解決しようとする課題】
　上記のように従来の畦塗り機では、前処理装置により元畦の田面側を平面的に掘削し、その掘削土壌を元畦に対して畦塗り部により新たな土壌を塗り付け、あるいは表面を叩き付けるだけなので、作業者が新しく造成された畦の上を、肥料散布や農薬散布のために歩行したり、大量の雨が降ったりすると、新しく土を塗り付け、あるいは表面を叩き付けて造成した畦部分が、元畦の切削面から滑り落ちるようにして崩れ易い、という問題点があった。本発明は、上記の問題点を解決することを目的になされたものである。
　【０００５】
　【課題を解決するための手段】
　上記の目的を達成するするために本発明は、請求項１に係る発明として、畦塗り部の前側に装着され、元畦の田面側を掘削する前処理装置を備える畦塗り機において、上記前処理装置は、元畦と交差する方向に設けられた回転軸に、元畦側が浅く、田面側が深くなり、上面が元畦側に傾斜した階段状に掘削する
複数の
　【０００６】
　請求項２に係る発明として、請求項１に係る発明を前提として、上記掘削刃は、縦刃部と横刃部からなり、この縦刃部に対する横刃部の屈曲角度を直角より浅くし
且つ回転半径を異ならせた
　【０００７】
　請求項３に係る発明として、請求項
２
　【０００８】
　【作用】
　上記の構成により本発明の畦塗り機用前処理装置は、前処理装置によって元畦側が浅く、田面側が深くなり、上面が元畦側に傾斜した階段状に掘削し、その階段状部分に、前処理装置により掘削された土壌を畦塗り部により塗り付け、あるいは表面を叩き付けて新しい畦を造成するので、新しく造成された畦の元畦との接合面は、元畦に形成された階段状部分に支持されていることになり、新しく造成した畦部分が、元畦の切削面から滑り落ち難く、作業者が畦上を歩いたり、大量の雨が降ったりしても、容易に崩れない。
　【０００９】
　【発明の実施の形態】
　以下、本発明の実施の形態を添付の図面を参照して具体的に説明する。図１は、本発明の前提構成を示す説明図である。符号１は、図示しない畦塗り機の畦塗り部の前側に装着されて元畦５の田面７側部分を、掘削部分６のように掘削する前処理装置である。この前処理装置１は、水平回転軸２の外周に、多数の爪取付けボックス３，３…を介して多数の掘削爪４，４…を装着している。
　【００１０】
　上記掘削爪４，４…は、元畦５及び田面７を縦方向に掘削する縦刃部４ａと、縦刃部４ａから一側にほぼ直角に屈曲して形成され、元畦５及び田面７を横方向に掘削する横刃部４ｂとからなり、元畦５側が浅く、田面７側が深くなるように横刃部４ｂで階段状に掘削するように、縦刃部４ａの長さ（回転半径）を異ならせている。そして、元畦５には、掘削爪４，４…によって掘削部分６が掘削され、元畦５の田面７側に、元畦５側が浅く、田面７側が深くなる、ほぼ水平の階段が形成される。
　【００１１】
　掘削爪４，４…によって掘削部分６が掘削され、元畦５の田面７側に形成された水平状の階段面に対して、掘削爪４，４…によって掘削された土壌が、前処理装置１の後ろ側に設けられた畦塗り部によって、新畦造成部分６に示すように塗り付けられ、あるいは表面が叩き付けられて、元畦５＋新畦造成部分６の新畦が造成される。
　【００１２】
　このような構成の前処理装置１においては、畦塗り機の進行と共に水平回転軸２が回転して、掘削爪４，４…の縦刃部４ａ及び横刃部４ｂによって、元畦５及び田面７が、元畦５では掘削部分６に示すように、元畦５側が浅く、田面７側が深くなるように階段状に掘削される。そして、前処理装置１の後ろ側に設けられている畦塗り部によって、前処理装置１により掘削された土壌が、新畦造成部分６のように塗り付けられ、あるいは表面を叩き付けられて、新畦が造成される。従って、新しく造成された畦の元畦５との接合面は、元畦５に形成された階段部分に支持されていることになり、新しく造成した新畦造成部分６が、元畦５の切削面から滑り落ち難くなり、作業者が畦上を歩いたり、大量の雨が降ったりしても、容易に崩れることがない。
　【００１３】
　本発明は、図１に示す前処理装置１において、掘削爪４の縦刃部４ａに対する横刃部４ｂの屈曲角度を直角より浅くしたものであり、これによると、元畦５に形成される階段の水平部分の傾斜角度が、図２に示されるものと同様に、図１の水平部分が元畦５側に傾斜した階段となる。この場合には、畦塗り部によって、前処理装置１により掘削された土壌が元畦５に塗り付けられ、あるいは表面を叩き付けられて新しく造成された畦の元畦５との接合面は、元畦５に形成された階段部分が元畦５側に傾斜していることで、図１の場合より、新しく造成した新畦造成部分６が、元畦５の切削面からより滑り落ち難くなる。
　【００１４】
　図２に示す本発明の前処理装置１の他の実施例のものは、傾斜回転軸２ａ及び掘削刃４を、元畦５側に向け下降するように斜設している。そして、縦刃部４ａに対する横刃部４ｂの屈曲角度を、直角より浅くしている。
　【００１５】
　この第２実施例の前処理装置１においては、掘削爪４，４…の縦刃部４ａ及び横刃部４ｂによって、元畦５及び田面７が、掘削部分６に示すように、元畦５側が浅く、田面７側が深くなるように切削され、元畦５に対して元畦５側に傾斜した階段が形成される。そして、畦塗り部によって、前処理装置１により掘削された土壌が元畦５に対して塗り付けられ、あるいは表面を叩き付けられて新しく造成された畦の元畦５との接合面は、元畦５に形成された階段部分が元畦５側に傾斜していることにより、図１の場合より、新しく造成した新畦造成部分６が、元畦５の切削面からより滑り落ち難くなる。
　【００１６】
　【発明の効果】
　以上説明したように本発明の畦塗り機用前処理装置によれば、前処理装置１は、元畦５と交差する方向に設けられた回転軸２，２ａに、元畦５側が浅く、田面７側が深くなり、上面が元畦側に傾斜した階段状に掘削する掘削刃４を装着したので、元畦５の階段状部分に、前処理装置１により掘削された土壌を畦塗り部により塗り付け、あるいは表面を叩き付けて新しい畦を造成することにより、新しく造成された畦の元畦５との接合面は、元畦５に形成された階段状部分に支持されて、新しく造成した畦６部分が、元畦５の切削面から滑り落ち難くなり、作業者が畦上を歩いたり、大量の雨が降ったりしても、容易に崩れることがない。
【図面の簡単な説明】
　【図１】
　本発明による畦塗り機用前処理装置の作業状態の前提構成を示す概略正面図である。
　【図２】
　同他の実施例の概略正面図である。
　【符号の説明】
　１　畦塗り機用前処理装置
　２　水平回転軸　２ａ　傾斜回転軸
　３　爪取付けボックス
　４　掘削爪　４ａ　縦刃部　４ｂ　横刃部
　５　元畦
　６　掘削部分及び新畦造成部分
　７　田面